(57)【要約】【課題】鍋の側壁に付着する粘度の高い汁物を効率よく回収できるお玉を提供する【解決手段】お玉１は、柄部２と椀状の掬い部３とを備え鍋から内容物を掬いとる。  ここで、掬い部３の柄部２の長さ方向における最下端部５からの縁の高さを縁高さとし、最下端部５、および、柄部２を含む平面である仮想平面αに対する掬い部３の一方側を一方側掬い部３ａ、他方側を他方側掬い部３ｂとすると、一方側掬い部３ａの縁高さの平均値が他方側掬い部３ｂの縁高さの平均値より高く設けられている。  これにより、お玉１の柄部２を鍋の側壁に沿わせた状態で一方側から他方側にお玉１を移動させることで一方側掬い部３ａの縁高さが高くなっているため堰の役割を果たし、掬い部３に側壁に付着する汁物を効率的に集めることができる。【選択図】図１
0003221811.tif 000002
【実用新案登録請求の範囲】
【請求項１】
柄部（２）と椀状の掬い部（３）とを備え鍋（４）から内容物を掬いとるお玉（１）において、
前記掬い部の前記柄部の長さ方向における最下端部（５）からの縁の高さを縁高さとし、
前記最下端部、および、前記柄部を含む平面である仮想平面（α）に対する前記掬い部の一方側を一方側掬い部（３ａ）、他方側を他方側掬い部（３ｂ）とすると、
前記一方側掬い部の前記縁高さの平均値が前記他方側掬い部の前記縁高さの平均値より高く設けられていることを特徴とするお玉。
【請求項２】
請求項１に記載のお玉において、
前記一方側掬い部の前記縁高さは前記柄部に近づくにつれ高くなっていることを特徴とするお玉。
【請求項３】
請求項１または請求項２に記載のお玉において、
前記仮想平面における前記柄部から前記最下端部までの外周側形状が前記鍋の側壁から底までの内周側断面形状に略一致することを特徴とするお玉。
【考案の詳細な説明】
【技術分野】
【０００１】
本考案は、お玉、特に、鍋の側壁に付着する粘度の高い汁物を効率よく回収できるお玉に関する。
【背景技術】
【０００２】
従来から、柄部と椀状の掬い部とを備え鍋から内容物を掬いとるお玉が知られている。
このようなお玉においては、掬い部の一部を上方に延設し、この延設した部分に味噌漉し機能を付加させているものがある（例えば、特許文献１参照。）。
【０００３】
近年、食料を無駄なく消費することが、限られた資源の有効活用、および、廃棄物低減の観点から声高に叫ばれている。
しかし、従来のお玉では鍋の側壁に付着する粘度の高い汁物（例えば、カレー。）を効率よく回収することができず食料資源を無駄にしてしまうとともに、側壁に汁物が付着した状態で洗浄を行い環境に過大な負荷を与えてしまう問題があった。
【先行技術文献】
【特許文献】
【０００４】
【特許文献１】実用新案登録第３１０３５０４号公報
【考案の概要】
【考案が解決しようとする課題】
【０００５】
本考案は、上記の問題点を解決するためになされたものであり、鍋の側壁に付着する粘度の高い汁物を効率よく回収できるお玉を提供する。
【課題を解決するための手段】
【０００６】
本考案によれば、お玉は、柄部と椀状の掬い部とを備え鍋から内容物を掬いとる。
そして、掬い部の柄部の長さ方向における最下端部からの縁の高さを縁高さとし、最下端部、および、柄部を含む平面である仮想平面に対する掬い部の一方側を一方側掬い部、他方側を他方側掬い部とすると、一方側掬い部の縁高さの平均値が他方側掬い部の縁高さの平均値より高く設けられている。
【０００７】
これにより、柄部を鍋の側壁に沿わせた状態で一方側から他方側にお玉を移動させることで側壁に付着する汁物は柄部を伝って他方側から一方側へと移動するとともに掬い部へと向かう。この際、一方側掬い部の縁高さが高くなっているため堰の役割を果たすことになり、掬い部に汁物を効率的に集めることができる。
【図面の簡単な説明】
【０００８】
【図１】（ａ）お玉の正面図、（ｂ）側面図、（ｃ）平面図である（実施例）。
【図２】お玉と鍋との相関図である（実施例）。
【図３】お玉と鍋との相関図である（変形例）。
【考案を実施するための形態】
【０００９】
以下、考案を実施するための形態を実施例に基づいて説明する。
【実施例】
【００１０】
本考案の実施例によるお玉１を図１、２に示す。
お玉１は金属製であり、柄部２と椀状の掬い部３とを備え鍋４から内容物を掬いとる。
ここで、柄部２は一直線方向に延びる棒状体であり、掬い部３の底側は半球状に形成されており、両者は掬い部３の縁部で接続されている。
なお、お玉１は、金属製に拘るものではなく、樹脂製であっても、樹脂材と金属から構成される複合材製であってもよい。
【００１１】
[実施例の特徴]
実施例におけるお玉１の特徴的な構成について説明する。
お玉１は、掬い部３の柄部２の長さ方向における最下端部５からの縁の高さを縁高さとし、最下端部５、および、柄部２を含む平面である仮想平面αに対する掬い部３の一方側を一方側掬い部３ａ、他方側を他方側掬い部３ｂとすると、一方側掬い部３ａの縁高さの平均値が他方側掬い部３ｂの縁高さの平均値より高く設けられている。
なお、他方側掬い部３ｂの縁高さは、すべての位置においてｈとなっており、縁高さの平均値もｈとなる。
【００１２】
ここで、一方側掬い部３ａの縁高さは柄部２に近づくにつれ高くなっている。
なお、一方側掬い部３ａの縁高さは、すべての位置においてｈより高くなっているため、縁高さの平均値もｈより高くなっている。
また、仮想平面αにおける柄部２から最下端部５までの外周側形状が鍋４の側壁から底までの内周側断面形状に略一致している。
【００１３】
［実施例の効果］
お玉１は、一方側掬い部３ａの縁高さの平均値が他方側掬い部３ｂの縁高さの平均値より高く設けられている。
これにより、柄部２を鍋４の側壁に沿わせた状態で一方側から他方側にお玉１を移動させることで側壁に付着する汁物は柄部２を伝って他方側から一方側へと移動するとともに掬い部３へと向かう。この際、一方側掬い部３ａの縁高さが高くなっているため堰の役割を果たすことになり、掬い部３に汁物を効率的に集めることができる。
【００１４】
また、一方側掬い部３ａの縁高さは柄部２に近づくにつれ高くなっている。
これにより、柄部２のより上側から一方側掬い部３ａによる堰の効果が得られることになり、鍋４の側壁に付着する汁物の回収をより効率的にできる。
【００１５】
さらに、仮想平面αにおける柄部２から最下端部５までの外周側形状が鍋４の側壁から底までの内周側断面形状に略一致している。
これにより、鍋４の底までお玉１を到達させて側壁の汁物の回収を行うことができる。
また、お玉１の外周側形状と鍋４の内周側断面形状とが略一致しているため両者の間に隙間が形成されにくく、回収時に隙間への汁物の逃げや溜まり込みを抑制することもでき、より効率的に汁物の回収を行うことができる。
【００１６】
［変形例］
本考案は、その要旨を逸脱しない範囲で様々な変形例を考えることができる。
実施例においては、鍋４の底は平坦な構成であったが、図３に示すように鍋４の底の側壁側を窪ませる構成としてもよい。これにより、お玉１をより下側まで到達させることができ底部に溜まる汁物をも効率的に回収できる。
【符号の説明】
【００１７】
１  お玉  ２  柄部  ３  掬い部  ３ａ  一方側掬い部  ３ｂ  他方側掬い部  ４鍋
５  最下端部  α  仮想平面
【図１】
0003221811.tif 000003
【図２】
0003221811.tif 000004
【図３】
0003221811.tif 000005